(57)【要約】【課題】ドッキングステーションに接続するコネクタ部でショートが発生することを抑制し、電気的な安全性を向上させた電子機器およびその制御方法を提供する。【解決手段】実施形態の電子機器は、外部装置に設けられた第１の電子回路に電力供給する第１の電力供給手段と、第１の電子回路とは別の、外部装置に設けられた第２の電子回路に電力供給する第２の電力供給手段と、外部装置が接続されたことを検出する検出手段と、前記外部装置を正規の装置であると判別する判別手段とを具備する。そして、第１および第２の電力供給手段が電力を供給していない状態で、検出手段により外部装置が接続されたことを検出した場合、第１の電力供給手段から電力を供給するとともに判別手段により正規の装置であると判別されたならば、第２の電力供給手段による電力供給を開始する。【選択図】図４
2013080523.tif 000002
【特許請求の範囲】
【請求項１】
外部装置に設けられた第１の電子回路に電力供給する第１の電力供給手段と、
前記第１の電子回路とは別の、前記外部装置に設けられた第２の電子回路に電力供給する第２の電力供給手段と、
前記外部装置が接続されたことを検出する検出手段と、
前記外部装置を正規の装置であると判別する判別手段と
を具備し、
前記第１および第２の電力供給手段が電力を供給していない状態で、前記検出手段により前記外部装置が接続されたことを検出した場合、前記第１の電力供給手段から電力を供給するとともに前記判別手段により正規の装置であると判別されたならば、前記第２の電力供給手段による電力供給を開始する電子機器。
【請求項２】
前記判別手段は、前記外部装置の識別情報に基づいて前記外部装置が正規の装置か否かを判別する、請求項１に記載の電子機器。
【請求項３】
前記第２の電力供給手段は、前記外部装置が正規の装置でないと前記判別手段が判別した場合、電力供給しない請求項１に記載の電子機器。
【請求項４】
外部装置に設けられた第１の電子回路に電力供給する第１の電力供給手段と、前記第１の電子回路とは別に前記外部装置に設けられた第２の電子回路に電力供給する第２の電力供給手段とを具備する電子機器の電源制御方法であって、
前記電子機器に前記外部装置が接続されたか否かを検出し、
前記外部装置が正規の装置であるか否かを判別し、
前記第１および第２の電力供給手段が電力を供給していない状態で、前記外部装置が前記電子機器に接続したことを検出した場合、前記第１の電力供給手段から電力を供給するとともに、前記外部装置が正規の装置であると判別したならば、前記第２の電力供給手段による電力供給を開始する、電源制御方法。
【請求項５】
前記外部装置の識別情報に基づいて、前記外部装置が正規の装置か否かを判別する、請求項４に記載の電源制御方法。
【請求項６】
前記外部装置が正規の装置でないと判別した場合、前記第２の電力供給手段による電力供給を開始しない、請求項４に記載の電源制御方法。
【発明の詳細な説明】
【技術分野】
【０００１】
本発明の実施形態は、電子機器およびその制御方法に関する。
【背景技術】
【０００２】
従来、電子機器の充電及び機能拡張を行うため、ドッキングステーションと呼ばれる外部機器が開発されている。また、このドッキングステーションへの接続状態に応じて、電子機器の各部制御を行うことが行われてきた。例えば、内部の入出力バスを外部に拡張するためのバス・コネクタを筐体表面に有する場合、バス・コネクタの接続状態に応じてバス・シグナルをオン／オフを切り換えることが開示されている（特許文献１参照）。
【先行技術文献】
【特許文献】
【０００３】
【特許文献１】特開平08-147080号公報
【発明の概要】
【発明が解決しようとする課題】
【０００４】
近年、スレート型と呼ばれる矩形状の扁平な電子機器が登場し、このスレート型の電子機器に併せたドッキングステーションも開発されている。スレート型の電子機器においては、ドッキングステーションと接続するためのコネクタが、側面に露出して設けられる。コネクタを保護するためのカバーが設けた場合であっても、スレート型の電子機器をユーザが保持して使用するにあたり、カバーが外れやすいという問題があった。何れの場合にしても、スレート型の電子機器のコネクタには、ノート型のパーソナルコンピュータなどに比べて異物が接触しやすく、コネクタ部でショートを起こす可能性が高い。
【０００５】
本発明の目的は、ドッキングステーションに接続するコネクタ部でショートが発生することを抑制し、電気的な安全性を向上させた電子機器およびその制御方法を提供することである。
【課題を解決するための手段】
【０００６】
実施形態によれば、電子機器は、外部装置に設けられた第１の電子回路に電力供給する第１の電力供給手段と、第１の電子回路とは別の、外部装置に設けられた第２の電子回路に電力供給する第２の電力供給手段と、外部装置が接続されたことを検出する検出手段と、前記外部装置を正規の装置であると判別する判別手段とを具備する。そして、第１および第２の電力供給手段が電力を供給していない状態で、検出手段により外部装置が接続されたことを検出した場合、第１の電力供給手段から電力を供給するとともに判別手段により正規の装置であると判別されたならば、第２の電力供給手段による電力供給を開始する。
【０００７】
また、実施形態によれば、電源制御方法は、外部装置に設けられた第１の電子回路に電力供給する第１の電力供給手段と、第１の電子回路とは別に外部装置に設けられた第２の電子回路に電力供給する第２の電力供給手段とを具備する電子機器の電源制御方法である。ここでは、外部装置が電子機器に接続されたか否かを検出する。外部装置が正規の装置であるか否かを判別する。そして、第１および第２の電力供給手段が電力を供給していない状態で、外部装置が電子機器に接続したことを電子機器が検出した場合、第１の電力供給手段から電力を供給するとともに、外部装置が正規の装置であると電子機器が判別したならば、第２の電力供給手段による電力供給を開始する。
【図面の簡単な説明】
【０００８】
【図１】本実施形態における電子機器の使用形態を説明する図。
【図２】本実施形態における電子機器およびドッキングステーションのシステム構成を示すブロック図。
【図３】本実施形態における電子機器における電源制御を示す構成図。
【図４】本実施形態における電子機器の電源制御手順を示すフローチャート。
【発明を実施するための形態】
【０００９】
以下、図面を参照して、実施形態について説明する。
図１は本実施形態における電子機器１の使用形態を説明する図である。はじめに、電子機器１及びドッキングステーション１００の外観構造について説明する。電子機器１は、図１に示すように矩形状の扁平な形状を成している。電子機器１は、所謂スレート型、タブレット型（ソフトキーボードの機能を有した表示装置）等の、パーソナルコンピュータ、テレビ、スマートフォン、携帯電話機などである。
【００１０】
電子機器１は、筐体１ａの表面に露出するように、表示部であるＬＣＤ（Ｌｉｑｕｉｄ
Ｃｒｙｓｔａｌ  Ｄｉｓｐｌａｙ）３、電源スイッチ６、ＬＥＤ（Ｌｉｇｈｔ  Ｅｍｉｔｔｉｎｇ  Ｄｉｏｄｅ）７が設けられている。また、ＬＣＤ３の上面には透明のタッチパネル４が設けられており、ＬＣＤ３とタッチパネル４とによってタッチスクリーンディスプレイが実現されている。そして、このタッチスクリーンディスプレイは、ペン又は指によってタッチされた表示画面上のタッチエリア（タッチ位置ともいう）を検出する。ユーザは、タッチパネル４、電源スイッチ６を操作して各種操作を行う。
【００１１】
電源スイッチ６は、筐体１ａの表面に露出して設けられ、電子機器１の電源をオン／オフするための操作入力を受け付ける。ＬＥＤ７は、電子機器１の動作状態をユーザに報知するために発光するデバイスである。ＬＥＤ７は、点灯色や点灯／点滅を切り替えることで、様々な動作状態を示すことができる。
【００１２】
電子機器１は、ドッキングステーション１００と接続するためのコネクタ２を有する。コネクタ２は、筐体１ａの側面に設けられた開口部内に設けられ、この開口部から露出している。電子機器１とドッキングステーション１００との間では、コネクタ２（の端子）およびコネクタ１０１（の端子）を介して、一例としては、電源電力や、各種データ、映像信号、音声信号等が送受される。
【００１３】
次に、本実施形態にかかるドッキングステーション１００について説明する。ドッキングステーション１００は、電子機器１が接続されることで、電子機器１が本来有しているコネクタ数を増やしたり、本来有している機能を拡張したり、本来有していない機能を付加したりすることができる。すなわち、ドッキングステーション１００は、電子機器１に対しての機能拡張装置の一例である。
【００１４】
図１に示されるように、本実施形態にかかるドッキングステーション１００は、比較的薄い扁平な電子機器１を、当該電子機器１が立った状態で支える。すなわち、ドッキングステーション１００は、電子機器１の支持装置、保持装置、支持台、支持部、載台、ホルダの一例である。
【００１５】
また、ドッキングステーション１００は、電子機器１のコネクタ（接続部、接続領域）２と接続されるコネクタ（接続部、接続領域）１０１を備えている。ドッキングステーション１００は、コネクタ１０１とコネクタ２とが接続された状態で、電子機器１を支持する。
【００１６】
また、ドッキングステーション１００は、コネクタ１０１以外に、電子機器１のコネクタ２以外のコネクタ（外部コネクタ）と接続するコネクタ（図示されず）を背面に備えている。すなわち、ドッキングステーション１００は、他の電子機器（図示されず）等との間に介在する介在装置の一例である。
【００１７】
そして、上述したように、機能拡張装置、接続装置、介在装置等として機能するため、ドッキングステーション１００の筐体内には、モジュールや部品として、コネクタ１０１の他、回路基板（プリント配線基板）や、電子部品、電気部品、配線等が収容されている。
【００１８】
本実施形態においては図１上段に示す（Ａ）アンドッキング状態と、図１下段に示す（Ｂ）ドッキング状態との２つの使用形態がある。（Ａ）アンドッキング状態においては、ユーザが手に電子機器１を保持して使用し、ユーザがタッチパネル４を指などでタッチすることで操作を行う。（Ｂ）ドッキング状態においては、電子機器１を充電したり、機能を拡張したりすることができる。
【００１９】
コネクタ２は、筐体１ａの側面に設けられた開口部内に設けられて露出しているため、金属ピンなどの異物が接触しやすい。従って、コネクタ２の端子（ピン）の全てに電力を供給する構成にすると、コネクタ２部でショートを起こす可能性が高まってしまう。このようなコネクタ２部の不用意なショート状態が起こることを抑制し、電子機器の電気的安全性を向上させる本実施の形態について、以下説明する。
【００２０】
図２は、本実施形態における電子機器１及びドッキングステーション１００のシステム構成を示すブロック図である。
電子機器１は、ＣＰＵ（Ｃｅｎｔｒａｌ  Ｐｒｏｃｅｓｓｉｎｇ  Ｕｎｉｔ）１０、ブリッジデバイス１１、主メモリ１２、グラフィクスコントローラ１３、ＢＩＯＳ−ＲＯＭ（Ｂａｓｉｃ  Ｉｎｐｕｔ／Ｏｕｔｐｕｔ  Ｓｙｓｔｅｍ−Ｒｅａｄ  Ｏｎｌｙ  Ｍｅｍｏｒｙ）１４、Ｄｏｃｋ  ＩＤ１５、ＳＳＤ（Ｓｏｌｉｄ  Ｓｔａｔｅ  Ｄｒｉｖｅ）１６、ドッキング検出部１７、エンベデッドコントローラ（ＥＣ）１８、タッチパネルコントローラ１９、Ｉ／Ｏ（Ｉｎｐｕｔ／Ｏｕｔｐｕｔ）コントローラ電源回路２１等を備えている。
【００２１】
ＣＰＵ１０は、本電子機器１の各コンポーネントの動作を制御するプロセッサである。ＣＰＵ１０はＳＳＤ１６から主メモリ１２に読込まれる、オペレーティングシステム（ＯＳ）３０及び各種ユーティリティ／アプリケーションプログラム３１を実行する。またＣＰＵ１０は、ＢＩＯＳ−ＲＯＭ１４に格納されたＢＩＯＳも実行する。ＢＩＯＳはハードウェアを制御するためのプログラムである。
【００２２】
ブリッジデバイス１１は、グラフィックスコントローラ１３との通信を実行する機能を有している。グラフィクスコントローラ１３は、電子機器１のディスプレイとして使用されるＬＣＤ３を制御する表示コントローラである。
【００２３】
更に、ブリッジデバイス１１には、主メモリ１２を制御するメモリコントローラも内蔵されている。また、ブリッジデバイス１１は、ＰＣＩ（Ｐｅｒｉｐｈｅｒａｌ  Ｃｏｍｐｏｎｅｎｔ  Ｉｎｔｅｒｃｏｎｎｅｃｔ）バス上の各デバイス及びＬＰＣ（Ｌｏｗ  ＰＩＮ  Ｃｏｕｎｔ）バス上の各デバイスとの通信も実行する。
【００２４】
主メモリ１２は、ＣＰＵ１０が実行するＯＳ３０及び各種アプリケーション３１を読込む一時格納領域であり、当該主メモリ１２には、ＳＳＤ１６に記憶されている、ＯＳ３０及びアプリケーションプログラム３１等のプログラムを読込む。
【００２５】
グラフィクスコントローラ１３は、ブリッジデバイス１１を介してＣＰＵ１０から入力される描画要求に基づいてビデオメモリ（ＶＲＡＭ）に表示データを描画するための表示処理（グラフィクス演算処理）を実行する。ビデオメモリには、ＬＣＤ３に表示される画面イメージに対応する表示データを格納する。
【００２６】
ＢＩＯＳ−ＲＯＭ１４は、電子機器１のハードウェアを制御するためのプログラムであるシステムＢＩＯＳ３２を格納している。また、正規のドッキングステーション１００を示す識別情報（Ｄｏｃｋ  ＩＤ１５）を格納している。Ｄｏｃｋ  ＩＤ１５は、電子機器１が出荷される前に予め設定されている。換言すると、Ｄｏｃｋ  ＩＤ１５は、電子機器１と対応づけられたドッキングステーション１００を示す識別情報である。
【００２７】
ＳＳＤ１６は、ＯＳ３０及び各種アプリケーション３１を記憶する記憶装置である。
エンベデッドコントローラ（ＥＣ）１８は、ユーザによる電源スイッチ６の操作に応じて電子機器１を電源オン／オフする機能を有している。即ち、エンベデッドコントローラ（ＥＣ）１８は、電源回路２１の制御を行う。また、エンベデッドコントローラ（ＥＣ）１８は、ＬＣＤ３に設けられているタッチパネル４を制御するタッチパネルコントローラ１９を含んでいる。エンベデッドコントローラ（ＥＣ）１８は、電子機器１を電源オン／オフに関わらず常に動作している。
【００２８】
エンベデッドコントローラ（ＥＣ）１８は、コネクタ２が第１のコネクタ１０１に接続されたことを検出するドッキング検出部１７を更に有する。即ち、ドッキング検出部１７は、ドッキングステーション１００の装着（ドッキング）／取り外し（アンドッキング）を検出するためのＤｏｃｋ  Ｄｅｔｅｃｔ信号線に接続されている。ドッキングステーション１００が接続されると、ドッキングステーション１００の接地端子に接続されることにより、抵抗によって、Ｄｏｃｋ  Ｄｅｔｅｃｔ信号はロウレベルからハイレベルに変化する。このようなＤｏｃｋ  Ｄｅｔｅｃｔ信号はハイレベルからロウレベルに変化する。一方、ドッキングステーション１００の取り外し時には、ドッキングステーション１００の接地端子から分離されるため、電子機器１内のプルアップＤｏｃｋ  Ｄｅｔｅｃｔ信号の電位変化に基づいて、ドッキング検出部１７はドッキングステーション１００の装着／取り外しを検出する。
【００２９】
なお、タッチパネル４は、例えば、抵抗膜方式または静電容量方式等を用いて、タッチパネル（タッチスクリーンディスプレイ）上のタッチエリア（タッチ位置）を検出するように構成されている。
【００３０】
Ｉ／Ｏコントローラ２０は、電子機器１に設けられた入出力デバイスや外部コネクタに接続される入出力デバイスの制御を行うコントローラである。即ち、Ｉ／Ｏコントローラ２０は、電子機器１における入出力制御を行う。Ｉ／Ｏコントローラ２０は、電子機器１に複数設けられるとしても良い。Ｉ／Ｏコントローラ２０は、例えば、ＵＳＢコントローラや、ＬＡＮコントローラなどである。
【００３１】
Ｉ／Ｏコントローラ２０は、コネクタ２に第１のコネクタ１０１が接続されると、バス信号線を介してドッキングステーション１００のＩ／Ｏコントローラ１０３と電気的に接続される。
【００３２】
電源回路２１は、外部電源がＡＣアダプタ２３を介して供給されている場合、ＡＣアダプタ２３から供給される外部電源を用いて電子機器１の各コンポーネントに供給すべきシステム電源を生成する。また、電源回路２１は、外部電源がＡＣアダプタ２３を介して供給されていない場合、バッテリ２３を用いて電子機器１の各コンポーネントに供給すべきシステム電源を生成する。
【００３３】
ドッキングステーション１００は、第１のコネクタ１０１と、第２のコネクタ１０２と、Ｉ／Ｏコントローラ１０３と、ＥＥＰＲＯＭ１０４とを有する。
第１のコネクタ１０１は電子機器１と接続するためのコネクタであり、第２のコネクタ１０２は他の電子機器（図示されず）と接続するためのコネクタである。
Ｉ／Ｏコントローラ１０３は、コネクタ２に第１のコネクタ１０１が接続されると、電子機器１のＩ／Ｏコントローラ２４とバス信号線を介して電気的に接続される。Ｉ／Ｏコントローラ１０３は、ＥＣ１８と他の電子機器（図示されず）の間において、バス信号線を介して各種のデータ及び制御信号などの送受信を行う。即ち、Ｉ／Ｏコントローラ１０３は、ドッキングステーション１００における入出力制御を行う。
【００３４】
また、Ｉ／Ｏコントローラ１０３は、電力供給線を介して電源回路２１と接続される。この電力供給線にはスイッチが設けられ、スイッチを切り換えることでＩ／Ｏコントローラ１０３へ電力供給するか否かの切換制御を行うことができる。通常、電子機器１にドッキングステーション１００が接続されると、自動的に、電源回路２１からＩ／Ｏコントローラ１０３に電力供給されるが、本実施の形態によれば、正規のドッキングステーション１００が接続されたと判別された場合にのみ電力供給を行う。Ｉ／Ｏコントローラ１０３に電力を供給するとは、換言するとコネクタ２におけるＩ／Ｏコントローラ１０３に接続する端子へ電力を供給することである。
【００３５】
ＥＥＰＲＯＭ１０４は、ドッキングステーション１００の識別情報（Ｄｏｃｋ  ＩＤ１０５）が格納されている。コネクタ２に第１のコネクタ１０１が接続されると、ＥＥＰＲＯＭ１０４が電子機器１の電源回路２１と接続され、ＥＥＰＲＯＭ１０４に電源回路２１から電力が供給される。換言すると、電子機器１とドッキングステーション１００との物理的な接続をトリガとして、ＥＥＰＲＯＭ１０４に電力供給が開始される。
【００３６】
また、ＥＣ１８は、コネクタ２に第１のコネクタ１０１が接続されると、ＥＥＰＲＯＭ１０４内に格納されているドッキングステーション１００の識別情報（Ｄｏｃk  ＩＤ１０５）をシリアルＩ／Ｆを介して受信する。ＥＣ１８は、受信したＤｏｃk  ＩＤ１０５をＢＩＯＳ３２に通知する。
【００３７】
図３は、本実施形態における電子機器１における電源制御を示す構成図である。まず、ドッキング検出部１７は、ドッキングステーション１００の第１のコネクタ１０１が接続されたことを検出すると、Ｄｏｃｋ  Ｄｅｔｅｃｔ信号をＥＣ１８に通知すると共に、ＥＥＰＲＯＭ１０４に電源を供給する。即ち、電源回路２１とＥＥＰＲＯＭ１０４との間に設けられる電力供給線のスイッチをオンする（ステップＳ１）。
【００３８】
次に、ＥＣ１８はシリアルＩ／Ｆを介してＥＥＰＲＯＭ１０４からＤｏｃｋ  ＩＤ１０５を受信する（ステップＳ２）。ＥＣ１８は、受信したＤｏｃｋ  ＩＤ１０５をＢＩＯＳ３２に通知する。ＢＩＯＳ３２は、受信したＤｏｃｋ  ＩＤ１０５とＢＩＯＳ&mdash;ＲＯＭ１４内に格納している正規のＤｏｃｋ  ＩＤ１５とを比較する。
【００３９】
比較した結果、Ｄｏｃｋ  ＩＤ１０５とＤｏｃｋ  ＩＤ１５とが一致する場合には、ＢＩＯＳ３２は電源回路２１とＩ／Ｏコントローラ１０３との間の設けられる電力供給線のスイッチをオンする（ステップＳ３）。一方、Ｄｏｃｋ  ＩＤ１０５とＤｏｃｋ  ＩＤ１５とが一致しない場合には、ＢＩＯＳ３２は電源回路２１とＩ／Ｏコントローラ１０３との間の設けられる電力供給線のスイッチをオンしない。即ち、正規のドッキングステーション１００が接続されていない場合には、電源回路２１からＩ／Ｏコントローラ１０３に接続する端子に対して電力は供給されない。従って、電子機器１のコネクタ２において不用意なショートを招くことなく電気的な安全性を高めると共に、省電力化を図ることが出来る。
【００４０】
図４は、本実施形態における電子機器１の電源制御手順を示すフローチャートである。まず、ＥＣ１８は、Ｄｏｃｋ  Ｄｅｔｅｃｔ信号を受信したか否かを判別する（ステップＳ１０１）。ステップＳ１０１で判別した結果、Ｄｏｃｋ  Ｄｅｔｅｃｔ信号を受信していないと判別した場合（ステップＳ１０１のＮｏ）、ステップＳ１０１に遷移する。
【００４１】
一方、ステップＳ１０１で判別した結果、Ｄｏｃｋ  Ｄｅｔｅｃｔ信号を受信したと判別した場合（ステップＳ１０１のＹｅｓ）、同時にＥＥＰＲＯＭ１０４の電源がオンされる（ステップＳ１０２）。
【００４２】
次に、ＥＣ１８は、Ｄｏｃk  ＩＤ１０５を受信し、ＢＩＯＳ３２に通知する（ステップＳ１０３）。次に、ＢＩＯＳ３２は、ＥＣ１８から通知されたＤｏｃk  ＩＤ１０５が、ＢＩＯＳ−ＲＯＭ１４に記憶しているＤｏｃｋ  ＩＤ１５と一致しているか否かを判別する（ステップＳ１０４）。
【００４３】
ステップＳ１０４で判別した結果、ＢＩＯＳ−ＲＯＭ１４に記憶しているＤｏｃｋ  ＩＤ１５と一致していないと判別した場合（ステップＳ１０４のＮｏ）、本電源制御手順を終了する。即ち、Ｉ／Ｏコントローラ１０３に接続する端子への電力供給を行わない。
【００４４】
一方、ステップＳ１０４で判別した結果、ＢＩＯＳ−ＲＯＭ１４に記憶しているＤｏｃｋ  ＩＤ１５と一致したと判別した場合（ステップＳ１０４のＹｅｓ）、ＢＩＯＳ３２は、電源回路２１を制御し、Ｉ／Ｏコントローラ１０３に接続する端子に電力を供給する。即ち、Ｉ／Ｏコントローラ１０３への電力供給を開始する（ステップＳ１０５）。
【００４５】
以上のように構成される本実施の形態によれば、電子機器１は、正規のドッキングステーション１００が接続された場合以外は、Ｉ／Ｏコントローラ１０３に接続する端子へ電力供給が行われないため、コネクタ２で不用意なショートを招く虞がない。
【００４６】
本実施形態では、ＢＩＯＳ３２が、ドッキングステーション１００内のＥＥＰＲＯＭ１０４に格納されているＤｏｃｋ  ＩＤ１０５を受信し、正規のＤｏｃｋ  ＩＤ１５と一致するか否か認証を実行する。ＢＩＯＳ３２は、認証が成功するとコネクタ２内のＩ／Ｏコントローラ１０３に接続する端子への電力供給を開始し、認証が成功しなければ電力供給を行わない。
【００４７】
即ち、コネクタ２に誤って異物が接触してＤｏｃｋ  Ｄｅｔｅｃｔ信号が検出された場合は、Ｄｏｃｋ  ＩＤ１０５が受信されないのでコネクタ２内のＩ／Ｏコントローラ１０３に接続する端子への電力供給は開始されない。換言すると、正規のドッキングステーション１００が接続されない限り、コネクタ２におけるＩ／Ｏコントローラ１０３に接続する端子には電力が供給されない。このような構成により、コネクタ２において電力が不必要に供給される端子の数を減らすことができ、コネクタ２部でショートが起こることを抑制すると共に、電子機器１の省電力化を図ることができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１…電子機器、１ａ…筐体、２…コネクタ、３…ＬＣＤ、４…タッチパネル、６…電源スイッチ、７…ＬＥＤ、１０…ＣＰＵ、１１…ブリッジデバイス、１２…主メモリ、１３…グラフィクスコントローラ、１４…ＢＩＯＳ−ＲＯＭ、１５…Ｄｏｃｋ  ＩＤ、１６…ＳＳＤ、１７…ドッキング検出部、１８…エンベデッドコントローラ（ＥＣ）、１９…タッチパネルコントローラ、２０…Ｉ／Ｏコントローラ、２１…電源回路、２２…ＡＣアダプタ、２３…バッテリ、３０…ＯＳ、３１…アプリケーションプログラム、３２…ＢＩＯＳ、１００…ドッキングステーション、１０１…第１のコネクタ、１０２…第２のコネクタ、１０３…Ｉ／Ｏコントローラ、１０４…ＥＥＰＲＯＭ、１０５…Ｄｏｃｋ  ＩＤ。
【図１】
2013080523.tif 000003
【図２】
2013080523.tif 000004
【図３】
2013080523.tif 000005
【図４】
2013080523.tif 000006